(57)【特許請求の範囲】
【請求項１】
遮光羽根と、前記遮光羽根が取り付けられるアームとを有するシャッタ装置を駆動するシャッタ駆動装置において、
回転軸を中心に回転して前記アームを駆動する駆動レバーと、
前記駆動レバーに一端が取り付けられ、前記駆動レバーに付勢力を与える駆動バネと、
前記付勢力を調節する部材であって、前記駆動バネの他端が取り付けられ、前記回転軸を中心に回転可能に軸支されて、前記回転軸を中心に一方の方向に回転されると前記付勢力が増加し、前記回転軸を中心に他方の方向に回転されると前記付勢力が減少する付勢力調節部材と、
前記付勢力調節部材と係合して、前記付勢力調節部材が前記他方の方向に回転することを防止する回転防止爪とを備え、
前記付勢力調節部材は、前記回転防止爪と係合する第１の爪が前記回転軸を中心とする円周上に複数刻設されている第１のギヤ部と、前記第１のギヤ部とは異なるギヤ部であって、第２の爪が前記回転軸を中心とする円周上に複数刻設されている第２のギヤ部とを有し、
前記第１のギヤ部に設けられた前記第１の爪の数は、前記第２のギヤ部に設けられた前記第２の爪の数よりも多いことを特徴とするシャッタ駆動装置。
【請求項２】
請求項１に記載のシャッタ駆動装置において、
前記第１のギヤ部と前記第２のギヤ部とは、前記回転軸に沿った方向に隣接していることを特徴とするシャッタ駆動装置。
【請求項３】
請求項１または請求項２に記載のシャッタ駆動装置において、
前記第１のギヤ部は、前記駆動バネと前記第２のギヤ部との間に設けられていることを特徴とするシャッタ駆動装置。
【請求項４】
請求項１〜３のいずれか一項に記載のシャッタ駆動装置において、
前記第１の爪の前記回転軸に沿った方向の長さは、前記第２の爪の前記回転軸に沿った方向の長さよりも長いことを特徴とするシャッタ駆動装置。
【請求項５】
請求項１〜４のいずれか一項に記載のシャッタ駆動装置において、
前記第１のギヤ部に設けられた前記第１の爪の数は、前記第２のギヤ部に設けられた前記第２の爪の数の２以上の整数倍であることを特徴とするシャッタ駆動装置。
【請求項６】
請求項１〜５のいずれか一項に記載のシャッタ駆動装置を備えることを特徴とするカメラ。
【発明の詳細な説明】
【技術分野】
【０００１】
本発明は、シャッタ装置を駆動するシャッタ駆動装置、およびこのシャッタ駆動装置を備えるカメラに関する。
【背景技術】
【０００２】
カメラには、被写体光を導く撮影開口を開放および遮光するシャッタ装置が設けられている。このシャッタ装置では、シャッタ羽根（遮光幕羽根群）が高速で走行することで撮影開口を開放および遮光するように構成されている。このシャッタ装置には、遮光羽根群を高速で走行させるための駆動バネと、駆動バネの付勢力を調節して遮光羽根群の走行速度（幕速）を調節する幕速調節装置が設けられている。この幕速調節装置では、駆動バネの巻きの強さを調節することで駆動バネの付勢力を増減させる。
【０００３】
この幕速調節装置では、ラチェット部材の位相に応じて駆動バネの巻きの強さが調節されるように構成されている。そして、ラチェット部材は、ラチェット部材の外周に所定ピッチで刻設された複数の歯の１つが爪部と係合することで、所定の位相で係止される（特許文献１参照）。
【先行技術文献】
【特許文献】
【０００４】
【特許文献１】特開２００３−６６５０８号公報
【発明の概要】
【発明が解決しようとする課題】
【０００５】
上述した特許文献に記載のシャッタ駆動装置では、ラチェット部材の位相を調節する際、調節用の工具をラチェット部材の歯に係合させてラチェット部材を回転させている。ラチェット部材の位相、すなわち駆動バネの巻きの強さの調節の分解能を上げようとすると、ラチェット部材の歯のピッチを小さくして歯数を増やす必要がある。しかし、ラチェット部材の歯を小さくすると、調節用の工具を係合させ難くなり、ラチェット部材の位相が調節しにくくなる。
【課題を解決するための手段】
【０００６】
（１）  請求項１の発明によるシャッタ駆動装置は、遮光羽根と、遮光羽根が取り付けられるアームとを有するシャッタ装置を駆動するシャッタ駆動装置において、回転軸を中心に回転してアームを駆動する駆動レバーと、駆動レバーに一端が取り付けられ、駆動レバーに付勢力を与える駆動バネと、付勢力を調節する部材であって、駆動バネの他端が取り付けられ、回転軸を中心に回転可能に軸支されて、回転軸を中心に一方の方向に回転されると付勢力が増加し、回転軸を中心に他方の方向に回転されると付勢力が減少する付勢力調節部材と、付勢力調節部材と係合して、付勢力調節部材が他方の方向に回転することを防止する回転防止爪とを備え、付勢力調節部材は、回転防止爪と係合する第１の爪が回転軸を中心とする円周上に複数刻設されている第１のギヤ部と、第１のギヤ部とは異なるギヤ部であって、第２の爪が回転軸を中心とする円周上に複数刻設されている第２のギヤ部とを有し、第１のギヤ部に設けられた第１の爪の数は、第２のギヤ部に設けられた第２の爪の数よりも多いことを特徴とする。
（２）  請求項６の発明によるカメラは、請求項１〜５のいずれか一項に記載のシャッタ駆動装置を備えることを特徴とする。
【発明の効果】
【０００７】
本発明によれば、幕速の調節精度の向上と、幕速の調節のし易さをと両立できる。
【図面の簡単な説明】
【０００８】
【図１】本発明に係る一眼レフタイプのカメラボディの断面図であり、（ａ）は、上面から見た断面図であり、（ｂ）は、側面から見た断面図である。
【図２】シーケンスシャッタ駆動ユニットの一部、および遮光幕機構の一部を前方から見た図である。
【図３】シーケンスシャッタ駆動ユニットの一部分についての分解図である。
【図４】シーケンスシャッタ駆動ユニットの一部分についての分解図である。
【図５】係止王冠の近傍を左側から見たときの図である。
【図６】係止王冠の近傍を斜め前方から見たときの斜視図である。
【発明を実施するための形態】
【０００９】
図１〜６を参照して、本発明によるシャッタ駆動装置およびカメラの一実施の形態を説明する。図１（ａ）は、本発明によるシャッタ駆動装置を備えたカメラである一眼レフタイプのカメラボディ１を上面から見た断面図であり、図１（ｂ）は、カメラボディ１を側面から見た断面図である。カメラボディ１には、ミラーボックス１０と、シーケンスシャッタ駆動ユニット１００と、遮光幕機構４００と、撮像素子３と、シーケンスモータ４と、ファインダー光学系２０と、測光ユニット５と、ＡＦユニット６と、背面表示モニタ７とが設けられている。８は、カメラボディ１内に装着された電池である。カメラボディ１の前面には、撮影レンズ２が取り付けられている。説明の便宜上、カメラボディ１の上下方向、左右方向、および前後方向を各図に記載したように規定する。
【００１０】
ミラーボックス１０は、メインミラー１１およびサブミラー１２を収容し、撮影光路を形成する。ミラーボックス１０は、カメラボディ１に取り付けられている。シーケンスシャッタ駆動ユニット１００は、絞り機構や、ミラー回動機構、遮光幕機構４００の後述する先幕遮光羽根群および後幕遮光羽根群を駆動する駆動機構である。シーケンスシャッタ駆動ユニット１００の詳細については後述する。遮光幕機構４００は、先幕遮光羽根群および後幕遮光羽根群を有し、所定時間だけ撮影開口を開放および遮光する公知の装置である。
【００１１】
撮像素子３は、ＣＣＤやＣＭＯＳ等の固体撮像素子で構成され、撮影レンズ２により結像された被写体像を電気信号に変換する。シーケンスモータ４は、シーケンスシャッタ駆動ユニット１００の駆動力を発生する駆動源である。ファインダー光学系２０は、ペンタプリズム２１や接眼レンズ２２を有し、メインミラー１１で反射された被写体光による像（被写体像）を観察するためのものである。測光ユニット５は、ペンタプリズム２１から射出される被写体光を利用して測光するＣＣＤユニットである。ＡＦユニット６は、メインミラー１１およびサブミラー１２を介して入射される被写体光を利用して焦点検出を行う。背面表示モニタ７は、たとえば液晶表装置などが用いられ、撮影時の各種情報や、撮像して得られた被写体像の画像や、スルー画像（ライブビュー画像またはライブプレビュー画像ともいう）などを表示する。
【００１２】
図２は、シーケンスシャッタ駆動ユニット１００の一部、および遮光幕機構４００の一部を前方から見た図であり、図３，４は、シーケンスシャッタ駆動ユニット１００の一部分についての分解図である。
【００１３】
−−−シーケンスシャッタ駆動ユニット１００−−−
シーケンスシャッタ駆動ユニット１００は、シーケンス地板１１０上に各カムや各レバー、各ギヤなどが設けられている。シーケンス地板１１０は、互いに略直交する第１地板（不図示）と第２地板１１２とを有し、第１地板と第２地板１１２とによって上方から見たときに略Ｌ字形状に形成されている。
【００１４】
不図示の第１地板は、カメラボディ１の前後方向および上下方向に延在している。第１地板の左側側面には、いずれも不図示の先幕チャージカムと、後幕チャージカムと、先幕チャージカムレバーと、後幕チャージカムレバーと、絞り制御レバーとが取り付けられている。第１地板の右側側面には、いずれも不図示のミラー駆動カムと、絞り制御レバー駆動カムと、ミラー駆動カムレバーと、絞り制御レバー駆動カムレバーとが取り付けられている。
【００１５】
第２地板１１２は、カメラボディ１の左右方向および上下方向に延在している。第２地板１１２の前面には、先幕駆動レバー１４１と、後幕駆動レバー１４２と、先幕マグネット１４３と、後幕マグネット１４４とが取り付けられている。また、第２地板１１２の前面には、後述する先幕駆動レバー１４１を回動可能に軸支する軸１１２ｇと、後述する後幕駆動レバー１４２を回動可能に軸支する軸１１２ｈとが立設されている。また、第２地板１１２の前面には、台座１１２ｉ，１１２ｊに緩衝部材１１３が取り付けられている。緩衝部材１１３は、先幕駆動レバー１４１および後幕駆動レバー１４２を停止させる際の衝撃を吸収するための部材である。第２地板１１２の後面には、いずれも不図示の先幕主アーム支持ピンおよび先幕従動アーム支持ピンと、後幕主アーム支持ピンおよび後幕従動アーム支持ピンとが立設されている。第２地板１１２は、第１地板の後側端部から左側に向かって延在する。
【００１６】
シーケンス地板１１０は、第１地板の右側側面でミラーボックス１０の左側側面に取り付けられている。また、シーケンス地板１１０には、第２地板１１２の後面に遮光機構４００が取り付けられている。
【００１７】
不図示の先幕チャージカムは、不図示の先幕チャージカムレバーを介して後述する先幕駆動レバー１４１を駆動して、遮光幕機構４００の先幕遮光羽根群４１１（図２）をチャージするためのカムである。不図示の後幕チャージカムは、不図示の後幕チャージカムレバーを介して後述する後幕駆動レバー１４２を駆動して、遮光幕機構４００の後幕遮光羽根群４３１（図２）をチャージするためのカムである。先幕チャージカムおよび後幕チャージカムは、第１地板に対して回動可能に支持される。先幕チャージカムおよび後幕チャージカムは、シーケンスモータ４の駆動力によって回動される。
【００１８】
絞り制御レバー（不図示）は、第１地板に回動可能に軸支されたレバーであり、撮影レンズ２の絞りを駆動する部材である。
【００１９】
先幕駆動レバー１４１は、先幕遮光羽根群４１１を駆動するためのレバーであり、中空軸部１４１ａと、先幕駆動レバー突部１４１ｂと、マグネット吸着部１４１ｅと、当接部１４１ｇとを有し（図３，４）、第２地板１１２に対して回動可能に取り付けられる。
【００２０】
中空軸部１４１ａは、先幕駆動レバー１４１の前面に立設されて前方に延在する中空軸である。先幕駆動レバー突部１４１ｂは、先幕駆動レバー１４１の後面に立設されて後方に延在する軸状の部位であり、その先端部分が、先幕遮光羽根群４１１の先幕主アーム４２１に設けられた係合穴４２１ｂと係合する。なお、先幕駆動レバー突部１４１ｂが第２地板１１２の後面側に突出して先幕主アーム４２１の係合穴４２１ｂと係合できるように、そして、先幕駆動レバー１４１の回動による先幕駆動レバー突部１４１ｂの動きを妨げないように、第２地板１１２には長穴１１２ｃが設けられている。
【００２１】
マグネット吸着部１４１ｅは、先幕駆動レバー１４１の前面に設けられて、後述する先幕マグネット１４３によって吸着される部位である。当接部１４１ｇは、先幕駆動レバー１４１の前面に設けられて、緩衝部材１１３と当接する部位である。
【００２２】
先幕駆動レバー１４１には、中空軸部１４１ａの前端面から後端面にかけて貫通孔１４１ｆが設けられている（図３，４）。この貫通孔１４１ｆには、第２地板１１２に立設された軸１１２ｇが挿入される。これにより、先幕駆動レバー１４１は、軸１１２ｇに回動可能に軸支される。
【００２３】
中空軸部１４１ａの外周には、先幕駆動レバー１４１を付勢するねじりコイルバネであるバネ１４５が配設されている。バネ１４５の一端１４５ａ（図３，４における後方の端部）は、先幕駆動レバー１４１に係止されている。バネ１４５の他端１４５ｂ（図３，４４における前方の端部）は、後述する係止王冠１５０に係止されている。先幕駆動レバー１４１は、バネ１４５の付勢力によって、先幕駆動レバー１４１を前方から見たときに中空軸部１４１ａの中心軸を中心として時計方向に付勢されている。
【００２４】
また、先幕駆動レバー１４１には、バネ１４８Ａを介して先幕オーバーチャージ吸収レバー１４７が取り付けられていて、先幕駆動レバー１４１と先幕オーバーチャージ吸収レバー１４７とは一体的に回動する。先幕オーバーチャージ吸収レバー１４７は、先幕遮光羽根群４１１をリセットする際のオーバーチャージをバネ１４８Ａの撓みで吸収するためのレバーであり、当接部１４７ａを有する。先幕オーバーチャージ吸収レバー１４７は、バネ１４８Ａで先幕駆動レバー１４１を図２における図示反時計方向に付勢している。
【００２５】
先幕オーバーチャージ吸収レバー１４７は、不図示の先幕チャージカムによって駆動される不図示の先幕チャージカムレバーが当接部１４７ａに当接することで、当接部１４７ａが上方に押圧されると、先幕駆動レバー１４１とともに、バネ１４５の付勢力に抗して図２における図示反時計方向に回動する。そして、マグネット吸着部１４１ｅが先幕マグネット１４３に当接して先幕駆動レバー１４１の図示反時計方向への回動が規制された後に、さらに不図示の先幕チャージカムレバーが当接部１４７ａを押圧するように回動すると、先幕オーバーチャージ吸収レバー１４７は、バネ１４８Ａを撓ませるように図示反時計方向に回動して、先幕チャージカムレバーのオーバーチャージの動きを吸収する。
【００２６】
後幕駆動レバー１４２は、後幕遮光羽根群４３１を駆動するためのレバーであり、中空軸部（不図示）と、先幕駆動レバー突部（不図示）と、マグネット吸着部１４２ｅと、当接部１４２ｇとを有し（図２）、第２地板１１２に対して回動可能に取り付けられる。後幕駆動レバー１４２は、先幕駆動レバー１４１と同様に構成されている。すなわち、不図示の中空軸部は、中空軸部１４１ａと同様の部位であり、不図示の先幕駆動レバー突部は、先幕駆動レバー突部１４１ｂと同様の部位であり、マグネット吸着部１４２ｅは、マグネット吸着部１４１ｅと同様の部位であり、当接部１４２ｇは、当接部１４１ｇと同様の部位である。
【００２７】
具体的には、不図示の中空軸部は、後幕駆動レバー１４２の前面に立設されて前方に延在する中空軸である。後幕駆動レバー突部は、後幕駆動レバー１４２の後面に立設されて後方に延在する軸状の部位であり、その先端部分が、後幕遮光羽根群４３１の後幕主アーム４４１に設けられた不図示の係合穴と係合する。なお、後幕駆動レバー突部が第２地板１１２の後面に突出して後幕主アーム４４１の係合穴と係合できるように、そして、後幕駆動レバー１４２の回動による後幕駆動レバー突部の動きを妨げないように、第２地板１１２には長穴１１２ｄが設けられている（図２，４）。
【００２８】
マグネット吸着部１４２ｅは、後幕駆動レバー１４２の前面に設けられて、後述する後幕マグネット１４４によって吸着される部位である。当接部１４２ｇは、後幕駆動レバー１４２の前面に設けられて、緩衝部材１１３と当接する部位である。
【００２９】
後幕駆動レバー１４２には、中空軸部の前端面から後端面にかけて不図示の貫通孔が設けられている。この貫通孔には、第２地板１１２に立設された軸１１２ｈが挿入される。これにより、後幕駆動レバー１４２は、軸１１２ｈに回動可能に軸支される。
【００３０】
中空軸部の外周には、後幕駆動レバー１４２を付勢する不図示のねじりコイルバネが配設されている。このねじりコイルバネの一端は、後幕駆動レバー１４２に係止され、他端は、係止王冠１５０に係止されている。後幕駆動レバー１４２は、不図示のねじりコイルバネの付勢力によって、後幕駆動レバー１４２を前方から見たときに中空軸部の中心軸を中心として時計方向に付勢されている。
【００３１】
また、後幕駆動レバー１４２には、上述した不図示のねじりコイルバネとは異なるバネ１４８Ｂを介して後幕オーバーチャージ吸収レバー１４９が取り付けられていて、後幕駆動レバー１４２と後幕オーバーチャージ吸収レバー１４９とは一体的に回動する。後幕オーバーチャージ吸収レバー１４９は、後幕遮光羽根群４３１をリセットする際のオーバーチャージをバネの撓みで吸収するためのレバーであり、当接部１４９ａを有する。後幕オーバーチャージ吸収レバー１４９は、先幕オーバーチャージ吸収レバー１４７と同様のレバーであるので、詳細な説明は省略する。
【００３２】
先幕マグネット１４３は、励磁コイルに通電されることによって当接している先幕駆動レバー１４１のマグネット吸着部１４１ｅを吸着して保持するマグネットである。なお、先幕マグネット１４３は、励磁コイルへの通電が停止されると、マグネット吸着部１４１ｅを離脱可能に釈放する。
【００３３】
後幕マグネット１４４は、励磁コイルに通電されることによって当接している後幕駆動レバー１４２のマグネット吸着部１４２ｅを吸着して保持するマグネットである。なお、後幕マグネット１４４は、励磁コイルへの通電が停止されると、マグネット吸着部１４２ｅを離脱可能に釈放する。
【００３４】
遮光幕機構４００が上述したシーケンスシャッタ駆動ユニット１００に取り付けられると、遮光幕機構４００の各部は、シーケンスシャッタ駆動ユニット１００の各部と以下の（ａ）〜（ｆ）のような関係となる。
（ａ）  不図示の先幕主アーム支持ピンが先幕主アーム４２１の回動軸穴４２１ａ（図４）に挿通される。これにより、先幕主アーム４２１は、先幕主アーム支持ピンで回動可能に軸支される。
【００３５】
（ｂ）  先幕駆動レバー１４１の先幕駆動レバー突部１４１ｂが先幕主アーム４２１の係合穴４２１ｂに挿通される。これにより、先幕駆動レバー１４１の先幕駆動レバー突部１４１ｂが先幕主アーム４２１の係合穴４２１ｂと係合する。
【００３６】
（ｃ）  不図示の先幕従動アーム支持ピンが先幕従動アーム４２２の回動軸穴４２２ａ（図４）に挿通される。これにより、先幕従動アーム４２２は、先幕従動アーム支持ピンで回動可能に軸支される。
【００３７】
（ｄ）  不図示の後幕主アーム支持ピンが後幕主アーム４４１（図２）の不図示の回動軸穴に挿通される。これにより、後幕主アーム４４１は、後幕主アーム支持ピンで回動可能に軸支される。
【００３８】
（ｅ）  後幕駆動レバー１４２の不図示の後幕駆動レバー突部が後幕主アーム４４１の不図示の係合穴に挿通される。これにより、後幕駆動レバー１４２の後幕駆動レバー突部が後幕主アーム４４１の係合穴と係合する。
【００３９】
（ｆ）  不図示の後幕従動アーム支持ピンが後幕従動アーム４４２（図２）の不図示の回動軸穴に挿通される。これにより、後幕従動アーム４４２は、後幕従動アーム支持ピンで回動可能に軸支される。
【００４０】
これにより、先幕主アーム４２１および先幕従動アーム４２２が先幕主アーム支持ピンおよび先幕従動アーム支持ピンを中心に回転駆動されると、先幕遮光羽根群４１１が連動して駆動される。すなわち、先幕主アーム４２１と先幕従動アーム４２２とによって構成される周知のリンク機構によって先幕遮光羽根群４１１の３枚の羽根が連動して駆動されて、遮光幕機構４００の撮影開口４６１（図２）を上下方向に移動するように構成されている。
【００４１】
同様に、後幕主アーム４４１および後幕従動アーム４４２が後幕主アーム支持ピンおよび後幕従動アーム支持ピンを中心に回転駆動されると、後幕遮光羽根群４３１が連動して駆動される。すなわち、後幕主アーム４４１と後幕従動アーム４４２とによって構成される周知のリンク機構によって後幕遮光羽根群４３１の３枚の羽根が連動して駆動されて、遮光幕機構４００の撮影開口４６１を上下方向に移動するように構成されている。
【００４２】
撮影開始前、先幕マグネット１４３および後幕マグネット１４４の励磁コイルには通電されておらず、励磁コイルは消磁されている。また、撮影開始前、シーケンスモータ４は停止している。
【００４３】
不図示の先幕チャージカムおよび先幕チャージカムレバーによって、先幕オーバーチャージ吸収レバー１４７の当接部１４７ａは上方に押し上げられている（図２）。したがって、先幕駆動レバー１４１は、バネ１４５の付勢力に抗してカメラボディ１の前方から見たときに反時計方向に回動されて停止している。
【００４４】
このとき、先幕駆動レバー１４１の先幕駆動レバー突部１４１ｂが上方に移動されているので、遮光幕機構４００の先幕主アーム４２１がカメラボディ１の前方から見たときに回動軸穴４２１ａを中心に反時計方向に回動された状態で停止している。そのため、先幕遮光羽根群４１１は、上方に引き上げられて、撮影開口４６１を遮光した状態で停止している。
【００４５】
不図示の後幕チャージカムおよび後幕チャージカムレバーによって、後幕オーバーチャージ吸収レバー１４９の当接部１４９ａは上方に押し上げられている。したがって、後幕駆動レバー１４２は、不図示のバネの付勢力に抗してカメラボディ１の前方から見たときに反時計方向に回動されて停止している。
【００４６】
このとき、後幕駆動レバー１４２の不図示の後幕駆動レバー突部が上方に移動されているので、遮光幕機構４００の後幕主アーム４４１がカメラボディ１の前方から見たときに反時計方向に回動された状態で停止している。そのため、後幕遮光羽根群４３１は、上方に引き上げられて、撮影開口４６１の上方に退避した状態で停止している。
【００４７】
不図示のレリーズボタンが押圧されて不図示のレリーズスイッチからレリーズ信号が入力されると、以下に説明するレリーズ動作が行われる。不図示の制御回路は先幕マグネット１４３および後幕マグネット１４４を励磁する。これにより、先幕マグネット１４３および後幕マグネット１４４は、当接している先幕駆動レバー１４１のマグネット吸着部１４１ｅおよび後幕駆動レバー１４２のマグネット吸着部１４２ｅを吸着保持する。また、レリーズ信号が入力されると、不図示の制御回路は、シーケンスモータ４の回動を開始させて、不図示の各カムを所定の回動角度だけ回動させた後、シーケンスモータ４を停止させる。なお、シーケンスモータ４の停止タイミングは、不図示のカムコード基板の位相を検出することで不図示の制御回路が制御している。
【００４８】
このシーケンスモータ４の回動により、不図示の先幕チャージカムレバーが先幕オーバーチャージ吸収レバー１４７の当接部１４７ａから離間する。しかし、先幕マグネット１４３が先幕駆動レバー１４１のマグネット吸着部１４１ｅを吸着保持しているため、先幕駆動レバー１４１は、バネ１４５の付勢力に抗してカメラボディ１の前方から見たときに反時計方向に回動されたまま停止している。すなわち、先幕遮光羽根群４１１は、撮影開口４６１を遮光した状態で停止している。
【００４９】
また、このシーケンスモータ４の回動により、不図示の後幕チャージカムレバーが後幕オーバーチャージ吸収レバー１４９の当接部１４９ａから離間する。しかし、後幕マグネット１４４が後幕駆動レバー１４２のマグネット吸着部１４２ｅを吸着保持しているため、後幕駆動レバー１４２は、不図示のバネの付勢力に抗してカメラボディ１の前方から見たときに反時計方向に回動されたまま停止している。すなわち、後幕遮光羽根群４３１は、撮影開口４６１の上方に退避した状態で停止している。
【００５０】
詳細な説明は省略するが、その後、撮影レンズ２の絞りが制御絞り値となるように絞り込まれる。さらにその後、不図示の制御回路は、先幕マグネット１４３の励磁コイルへの通電を停止する。これにより、先幕駆動レバー１４１のマグネット吸着部１４１ｅが離脱可能に釈放されるので、先幕駆動レバー１４１は、バネ１４５の付勢力によってカメラボディ１の前方から見たときに時計方向に回動する。この先幕駆動レバー１４１の回動によって先幕駆動レバー突部１４１ｂが下方に移動されると、遮光幕機構４００の先幕主アーム４２１がカメラボディ１の前方から見たときに回動軸穴４２１ａを中心に時計方向に回動される。これにより、先幕遮光羽根群４１１は、撮影開口４６１を下方向に移動して撮影開口４６１を開放する。この段階では、後幕遮光羽根群４３１は、撮影開口４６１の上方に退避した状態で停止している。
【００５１】
なお、バネ１４５の付勢力によって回動した先幕駆動レバー１４１は、台座１１２ｉに取り付けられた緩衝部材１１３に当接部１４１ｇが当接することで停止する。このとき、緩衝部材１１３は、当接部１４１ｇの衝突による衝撃を吸収して、当接部１４１ｇ（すなわち先幕駆動レバー１４１）の図示反時計方向への反発（バウンド）を抑制する。
【００５２】
撮影開口４６１が開放されている間に不図示の制御回路で制御される電子シャッタによって撮像素子３へ電荷の蓄積が制御されることで撮像が行われる。撮像素子３への電荷蓄積が終了して撮像が終了すると、不図示の制御回路は、後幕マグネット１４４の励磁コイルへの通電を停止する。これにより、後幕駆動レバー１４２のマグネット吸着部１４２ｅが離脱可能に釈放されるので、後幕駆動レバー１４２は、不図示のバネの付勢力によってカメラボディ１の前方から見たときに時計方向に回動する。この後幕駆動レバー１４２の回動によって不図示の後幕駆動レバー突部が下方に移動されると、遮光幕機構４００の後幕主アーム４４１がカメラボディ１の前方から見たときに時計方向に回動される。これにより、後幕遮光羽根群４３１は、撮影開口４６１を下方向に移動して撮影開口４６１を遮光する。以上でレリーズ動作および撮影動作が終了する。
【００５３】
なお、不図示のバネの付勢力によって回動した後幕駆動レバー１４２は、台座１１２ｊに取り付けられた緩衝部材１１３に当接部１４２ｇが当接することで停止する。このとき、緩衝部材１１３は、当接部１４２ｇの衝突による衝撃を吸収して、当接部１４２ｇ（すなわち後幕駆動レバー１４２）の図示反時計方向への跳ね返り（バウンド）を抑制する。
【００５４】
上述のレリーズ動作および撮影動作が終了すると、これに引き続き、以下のリセット動作が行われる。不図示の制御回路は、シーケンスモータ４の回動を開始させて、不図示の各カムをレリーズ開始前の回動位相まで回動させた後、シーケンスモータ４を停止させる。
【００５５】
これにより、不図示の先幕チャージカムおよび先幕チャージカムレバーによって、先幕オーバーチャージ吸収レバー１４７の当接部１４７ａは上方に押し上げられる。したがって、先幕駆動レバー１４１は、バネ１４５の付勢力に抗してカメラボディ１の前方から見たときに反時計方向に回動されて停止する。
【００５６】
これにより、先幕駆動レバー１４１の先幕駆動レバー突部１４１ｂが上方に移動して、カメラボディ１の前方から見たときに遮光幕機構４００の先幕主アーム４２１を回動軸穴４２１ａを中心に反時計方向に回動させる。そのため、先幕遮光羽根群４１１は上方に向かって走行し、撮影開口４６１を遮光する。このようにして先幕遮光羽根群４１１がリセット（シャッタチャージ）される。
【００５７】
同様に、不図示の後幕チャージカムおよび後幕チャージカムレバーによって、後幕オーバーチャージ吸収レバー１４９の当接部１４９ａは上方に押し上げられる。したがって、後幕駆動レバー１４２は、不図示のバネの付勢力に抗してカメラボディ１の前方から見たときに反時計方向に回動されて停止する。
【００５８】
これにより、後幕駆動レバー１４２の不図示の後幕駆動レバー突部が上方に移動して、カメラボディ１の前方から見たときに遮光幕機構４００の後幕主アーム４４１を反時計方向に回動させる。そのため、後幕遮光羽根群４３１は上方に向かって走行し、撮影開口４６１の上方に退避する。このようにして後幕遮光羽根群４３１がリセット（シャッタチャージ）される。
【００５９】
以上のリセット動作によって、遮光幕機構４００は、撮影開始前（レリーズ開始前）に復帰する。
【００６０】
−−−係止王冠１５０について−−−
図２〜４に加え、図５，６を参照して係止王冠１５０について説明する。図５は、係止王冠１５０の近傍を左側から見たときの図であり、図６は、係止王冠１５０の近傍を斜め前方から見たときの斜視図である。係止王冠１５０は、バネ１４５、および、バネ１４５と同様のねじりコイルバネである後幕駆動レバー１４２を付勢する不図示のバネの巻きの強さ（付勢力）を調節して、レリーズ時の先幕遮光羽根群４１１および後幕遮光羽根群４３１の走行速度（幕速）を調節するための部材（付勢力調節部材）である。この２つの係止王冠１５０の構造、機能はどちらも同じであるため、以下の説明では、バネ１４５の付勢力を調節する係止王冠１５０について説明し、後幕駆動レバー１４２を付勢する不図示のバネの付勢力を調節する係止王冠１５０についての説明を省略する。
【００６１】
係止王冠１５０は、有蓋円筒状の部材であり、第１ギヤ部１５１と第２ギヤ部１５２とを有する。第１ギヤ部１５１は、後述する押さえ板１６０の回転防止爪１６２と係合する部位であり、係止王冠１５０の円筒部分の外表面に第１爪１５１ａが複数刻設されている。第２ギヤ部１５２は、第１ギヤ部１５１の前方（図３，４における上部）に設けられた部位であり、係止王冠１５０の円筒部分の外表面に第２爪１５２ａが複数刻設されている。第２ギヤ部１５２は、バネ１４５の付勢力調節のために係止王冠１５０を回転させる工具が係合される部位である。
【００６２】
係止王冠１５０の円筒内面側には、バネ１４５の他端１４５ｂ側が挿入されている。なお、バネ１４５の他端１４５ｂは、係止王冠１５０の円筒内面に設けられた不図示の係止部に係止されている。係止王冠１５０の前面、すなわち、円筒前端面の蓋部分に該当する部分には、第２地板１１２の軸１１２ｇの先端部分が挿入される軸穴１５３が設けられている。また、係止王冠１５０の前面には、バネ１４５の付勢力調節の際の目安とするためのマーク１５４が付されている。マーク１５４は、たとえば、軸穴１５３（軸１１２ｇ）を中心として９０度毎に付されている。なお、マーク１５４のうちの１つは、軸穴１５３（軸１１２ｇ）を中心とした角度位置が、バネ１４５の他端１４５ｂが係止された係止王冠１５０の円筒内面の不図示の係止部と一致するように設けられている。
【００６３】
なお、本実施の形態の係止王冠１５０の配設位置は、先幕駆動レバー１４１およびバネ１４５の前側であり、従来の係止王冠の配設位置と同様である。
【００６４】
図５，６に示すように、係止王冠１５０の前面は、押さえ板１６０の押さえ部１６１によって、第２地板１１２の軸１１２ｇからの抜け止めがなされている。なお、図２〜４では、押さえ板１６０の記載を省略している。押さえ板１６０は、第２地板１１２に固定された部材であり、押さえ部１６１と、回転防止爪１６２とを備えている。押さえ板１６０が第２地板１１２に取り付けられると、押さえ部１６１は係止王冠１５０が軸１１２ｇから前方へ抜けることを防止する抜け止め（押さえ板）の役割を果たす。押さえ部１６１には、押さえ板１６０が第２地板１１２に取り付けられた際に、軸１１２ｇの先端が挿通される孔１６１ａが設けられている（図６）。
【００６５】
回転防止爪１６２は、前方から見たときに軸１１２ｇを中心に第１ギヤ部１５１の外周で時計方向に延在する板状の部位である。回転防止爪１６２は、その弾性力によって先端部分（爪先端）１６２ａが第１ギヤ部１５１に向かって（軸１１２ｇを中心とする円周の内側に向かって）付勢されている。回転防止爪１６２は、爪先端１６２ａが第１ギヤ部１５１の第１爪１５１ａと係合して、バネ１４５の付勢力（バネ１４５が先幕駆動レバー１４１を付勢する力の反力）によって前方から見たときに軸１１２ｇを中心に反時計方向へ係止王冠１５０が回転するのを防いでいる。
【００６６】
これにより、バネ１４５の他端１４５ｂは、係止王冠１５０、回転防止爪１６２を介して第２地板１１２に対して固定される。そのため、バネ１４５の一端１４５ａが取り付けられた先幕駆動レバー１４１は、バネ１４５の付勢力によって、第２地板１１２に対して、前方から見たときに軸１１２ｇを中心として時計方向に付勢される。
【００６７】
−−−第１ギヤ部１５１および第２ギヤ部１５２について−−−
第１ギヤ部１５１および第２ギヤ部１５２は、略同じピッチ径を有するギヤ部である。第１ギヤ部１５１の歯数（すなわち第１爪１５１ａの数）は、第２ギヤ部１５２の歯数（すなわち第２爪１５２ａの数）よりも多い。これは、第１爪１５１ａの歯数が多いほどバネ１４５の付勢力、すなわち、先幕遮光羽根群４１１の幕速を細かく調整できるからである。また、第２ギヤ部１５２の歯数が少ない方が、第２爪１５２ａの大きさを大きくできるので、係止王冠１５０を回転させる工具を係合させやすくなるからである。したがって、本実施の形態では、先幕遮光羽根群４１１の幕速の調節精度の向上と調節のし易さとを両立できる。なお、本実施の形態では、第１ギヤ部１５１の歯数を第２ギヤ部１５２の歯数の３倍としている。
【００６８】
また、第２ギヤ部１５２の歯数（第２爪１５２ａの大きさ）は、従来の係止王冠の当該部分と同じ歯数（同じ大きさ）である。また、従来の係止王冠の当該部分は、工具を係合させる部分であるとともに、本実施の形態の回転防止爪１６２に相当する爪と係合する部分でもある。そのため、本実施の形態の係止王冠１５０では、従来の係止王冠と比べて３倍の精度（１／３の細かさ）でバネ１４５の付勢力（すなわち先幕遮光羽根群４１１の幕速）を調節できる。また、第１ギヤ部１５１の歯数を第２ギヤ部１５２の歯数の３倍としたので、幕速を調整に際して、従来の係止王冠の歯１つ分が、本実施の形態の係止王冠１５０では第１爪１５１ａ３つ分に相当することになるため、幕速を調整する者にとって、どの程度係止王冠１５０を回転させればよいのかが感覚的に分かり易い。たとえば、従来の係止王冠の歯２つ分を調節すればよいと経験的に理解している者にとっては、本実施の形態の係止王冠１５０では第１爪１５１ａ６つ分を調節すればよいことになるため、幕速を調整しやすくなる。
【００６９】
第２ギヤ部１５２が、第１ギヤ部１５１よりも前方で第１ギヤ部１５１に隣接して設けられているので、先幕遮光羽根群４１１の幕速を調整する際に、係止王冠１５０（第２ギヤ部１５２）に工具を係合させ易く、調節もし易い。そして、第１ギヤ部１５１が第２ギヤ部１５２よりもバネ１４５に近い位置に設けられているので、係止王冠１５０を回転させるために前方からアプローチする工具と回転防止爪１６２とが干渉しにくくなり、第２ギヤ部１５２に工具を係合させ易く、調節もし易い。また、係止王冠１５０の配設位置が従来の係止王冠の配設位置と同様であるので、回転防止爪１６２の配設位置が回転防止爪１６２に相当する従来の爪と同様となり、設計変更が少なく、コスト増を抑制できる。さらに、第１ギヤ部１５１と第２ギヤ部１５２とが隣接して設けられているので、係止王冠１５０の大型化を抑制でき、シーケンスシャッタ駆動ユニット１００の大型化を抑制できる。
【００７０】
第１爪１５１ａの形状は、第１爪１５１ａが回転防止爪１６２の爪先端１６２ａと当接すると、係止王冠１５０が前方から見たときに軸１１２ｇを中心に反時計方向へ回転しないように、つめ車（ラチェット歯車）の歯と同様の形状である。したがって、係止王冠１５０を、前方から見たときに軸１１２ｇを中心に反時計方向へ回転させるためには、回転防止爪１６２の弾性力に抗して爪先端１６２ａを第１爪１５１ａから離間させる必要がある。なお、係止王冠１５０を、前方から見たときに軸１１２ｇを中心に時計方向へ回転させる場合には、爪先端１６２ａを第１爪１５１ａから離間させなくてもよい。
【００７１】
第２爪１５２ａの形状は、第１爪１５１ａの形状と同様である。すなわち、第２爪１５２ａの形状は、つめ車（ラチェット歯車）の歯と同様の形状である。
【００７２】
第１爪１５１ａの軸１１２ｇの延在方向に沿った長さは、第２爪１５２ａの軸１１２ｇの延在方向に沿った長さよりも長い。すなわち、第１爪１５１ａの前後方向の厚みは、第２爪１５２ａの前後方向の厚みよりも厚い。これにより、第１ギヤ部１５１の歯数が第２ギヤ部１５２の歯数よりも多く、第１爪１５１ａの大きさが第２爪１５２ａの大きさよりも小さくなるが、バネ１４５の付勢力が作用する第１爪１５１ａの強度を確保できる。
【００７３】
−−−変形例−−−
（１）  上述の説明では、第１ギヤ部１５１の歯数が第２ギヤ部１５２の歯数の３倍であるが、本発明はこれに限定されない。たとえば、第１ギヤ部１５１の歯数が第２ギヤ部１５２の歯数の２倍でもよく４倍でもよい。第１ギヤ部１５１の歯数が第２ギヤ部１５２の歯数の２以上の整数倍であれば、上述した作用効果と同様の作用効果を奏する。また、第１ギヤ部１５１の歯数が第２ギヤ部１５２の歯数の整数倍でなくても、たとえば１．５倍であれば、従来の係止王冠の歯２つ分（すなわち第２爪１５２ａ２つ分に相当）が、本実施の形態の係止王冠１５０では第１爪１５１ａ３つ分に相当することになるため、幕速を調整する者にとって、どの程度係止王冠１５０を回転させればよいのかが感覚的に分かり易い。また、たとえば、２．５倍であれば、従来の係止王冠の歯２つ分が、本実施の形態の係止王冠１５０では第１爪１５１ａ５つ分に相当することになるため、幕速を調整する者にとって、どの程度係止王冠１５０を回転させればよいのかが感覚的に分かり易い。すなわち、第２爪１５２ａの２個分が第１爪１５１ａのａ個分（ａは３より大きい整数、好ましくは３〜８程度）であっても、上述した作用効果と同様の作用効果を奏する。
【００７４】
（２）  上述の説明では、第１ギヤ部１５１と第２ギヤ部１５２とが隣接して設けられているが、必ずしも隣接していなくてもよい。ただし、第１ギヤ部１５１と第２ギヤ部１５２とが隣接している方が係止王冠１５０を小型化でき、シーケンスシャッタ駆動ユニット１００やカメラボディ１の小型化に資する。
【００７５】
（３）  上述の説明では、カメラボディ１は、撮像素子３を備えたデジタルカメラであるが、本発明を銀塩カメラに適用してもよい。
（４）  上述の説明では、遮光幕機構４００が先幕遮光羽根群４１１および後幕遮光羽根群４３１の２組の遮光幕羽根群を有しているが、本発明はこれに限定されない。たとえば、遮光幕機構４００が有する遮光羽根群が１組であってもよい。
（５）  上述した各実施の形態および変形例は、それぞれ組み合わせてもよい。
【００７６】
なお、本発明は、上述した実施の形態のものに何ら限定されず、遮光羽根と、遮光羽根が取り付けられるアームとを有するシャッタ装置を駆動するシャッタ駆動装置において、回転軸を中心に回転してアームを駆動する駆動レバーと、駆動レバーに一端が取り付けられ、駆動レバーに付勢力を与える駆動バネと、付勢力を調節する部材であって、駆動バネの他端が取り付けられ、回転軸を中心に回転可能に軸支されて、回転軸を中心に一方の方向に回転されると付勢力が増加し、回転軸を中心に他方の方向に回転されると付勢力が減少する付勢力調節部材と、付勢力調節部材と係合して、付勢力調節部材が他方の方向に回転することを防止する回転防止爪とを備え、付勢力調節部材は、回転防止爪と係合する第１の爪が回転軸を中心とする円周上に複数刻設されている第１のギヤ部と、第１のギヤ部とは異なるギヤ部であって、第２の爪が回転軸を中心とする円周上に複数刻設されている第２のギヤ部とを有し、第１のギヤ部に設けられた第１の爪の数は、第２のギヤ部に設けられた第２の爪の数よりも多いことを特徴とする各種構造のシャッタ駆動装置、および、このシャッタ駆動装置を備えた各種構造のカメラを含むものである。
【符号の説明】
【００７７】
１  カメラボディ                        １００  シーケンスシャッタ駆動ユニット
１４１  先幕駆動レバー                  １４２  後幕駆動レバー
１４５  バネ                            １５０  係止王冠
１５１  第１ギヤ部                      １５１ａ  第１爪
１５２  第２ギヤ部                      １５２ａ  第２爪
１６０  押さえ板                        １６２  回転防止爪
４００  遮光幕機構                      ４１１  先幕遮光羽根群
４２１  先幕主アーム                    ４３１  後幕遮光羽根群
４４１  後幕主アーム
【図１】
0005516183.tif 000002
【図２】
0005516183.tif 000003
【図３】
0005516183.tif 000004
【図４】
0005516183.tif 000005
【図５】
0005516183.tif 000006
【図６】
0005516183.tif 000007